(57)【特許請求の範囲】
【請求項１】
商品の販売情報を入力するための販売情報入力装置と、
商品販売毎の販売情報を表示または印刷出力するための販売情報出力装置と、
電話回線に接続されたモデムと、
ＣＰＵ、該ＣＰＵのバスラインに接続されたＲＯＭ、ＲＡＭ、タイマ回路およびシリアル通信回路とによって構成され、前記販売情報入力装置からバスラインを介して入力された販売情報をバスラインを介して前記販売情報出力装置に出力し、販売した商品の精算処理を行うとともに、入力された販売情報を記憶集計し、該集計データを予め設定された送信予定時刻に前記モデムを介してホストコンピュータへ送信する制御部と、
商用電源を受けて前記販売情報入力装置、販売情報出力装置、モデムおよび制御部に電源を供給する主電源回路と、
前記主電源回路と独立に電源供給が可能な予備電源回路と、
前記主電源回路による電源供給が停止したときに、前記予備電源回路から前記制御部およびモデムに電源供給する電源切換回路とを有し、
前記制御部には、
前記主電源回路による電源供給が停止したことを検出する検出手段と、
前記主電源回路による電源供給が停止している間、前記ＣＰＵの動作速度を遅くし、前記送信予定時刻がきたときには前記ＣＰＵの動作速度を一時的に通常速度に戻す動作速度切換手段が設けられていることを特徴とするＰＯＳ端末装置。
【請求項２】
前記主電源回路による電源供給が停止している間、前記販売情報入力装置と販売情報出力装置を制御部のバスラインから切り離すバスライン切離手段を設けたことを特徴とする請求項１記載のＰＯＳ端末装置。
【請求項３】
前記予備電源回路は、電話回線から電力を受けて前記制御部およびモデムへ電源供給することを特徴とする請求項１または請求項２記載のＰＯＳ端末装置。
【発明の詳細な説明】
【０００１】
【発明の属する技術分野】
本発明は、百貨店、スーパーマーケット、ホテル、レジャー施設等に設置され、商品の販売時点の精算処理およびクレジットカードのチェック、販売データの記憶集計等を行い、集計したデータを電話回線を介してホストコンピュータへ送信するＰＯＳ（Ｐｏｉｎｔ  ｏｆ  Ｓａｌｅｓ）端末装置において、ホストコンピュータへのデータの送信を円滑に行うための技術に関する。
【０００２】
【従来の技術】
ＰＯＳ端末装置は、商品の販売情報を入力するためのバーコードリーダやキーボード等の販売情報入力装置と、商品販売毎の販売情報を表示または印刷出力するための表示器やプリンタ等の販売情報出力装置と、電話回線に接続されたモデムと、マイクロコンピュータ構成の制御部と、電源回路とによって構成されている。
【０００３】
ＰＯＳ端末装置はレジと同様に店のカウンタに固定して用いることが前提であるので、その電源回路は商用電源から電源の供給を受けて動作するように構成されている。
【０００４】
制御部は、商品の販売時の精算処理を行うためのいわゆるレジの機能と、販売データの集計およびホストコンピュータへの送信を行う集計通信機能とを有しており、販売情報入力装置から入力された販売情報を販売情報出力装置に出力し、販売した商品の精算処理を行うとともに、入力された販売情報を記憶集計し、その集計データを予め設定された送信予定時刻にモデムを介してホストコンピュータへ自動送信する。
【０００５】
この送信予定時刻は、商品販売時の精算処理を優先するために通常は店の営業が終了した後に設定される場合が多い。
【０００６】
ホストコンピュータ側では、各店等から送られてきたデータに基づいて商品の在庫管理や翌日の計画立て等を行う。
【０００７】
【発明が解決しようとする課題】
しかしながら、ＰＯＳ端末装置を扱う店員は、ＰＯＳ端末装置がホストコンピュータへデータを自動送信していることを特に意識していない場合が多く、終業直後にＰＯＳ端末装置の電源を切ったり、店全体のブレーカを落としてしまうことがある。また、停電によって商用電源の入力が停止する場合もある。
【０００８】
このような場合、その日の販売データ等をホストコンピュータへ送信することができなくなってしまい、ホストコンピュータ側でのデータ集計や翌日の計画に支障をきたすという問題がある。
【０００９】
本発明は、この問題を解決したＰＯＳ端末装置を提供することを目的としている。
【００１０】
【課題を解決するための手段】
前記目的を達成するために、本発明の請求項１記載のＰＯＳ端末装置は、
商品の販売情報を入力するための販売情報入力装置と、
商品販売毎の販売情報を表示または印刷出力するための販売情報出力装置と、
電話回線に接続されたモデムと、
ＣＰＵ、該ＣＰＵのバスラインに接続されたＲＯＭ、ＲＡＭ、タイマ回路およびシリアル通信回路とによって構成され、前記販売情報入力装置からバスラインを介して入力された販売情報をバスラインを介して前記販売情報出力装置に出力し、販売した商品の精算処理を行うとともに、入力された販売情報を記憶集計し、該集計データを予め設定された送信予定時刻に前記モデムを介してホストコンピュータへ送信する制御部と、
商用電源を受けて前記販売情報入力装置、販売情報出力装置、モデムおよび制御部に電源を供給する主電源回路と、
前記主電源回路と独立に電源供給が可能な予備電源回路と、
前記主電源回路による電源供給が停止したときに、前記予備電源回路から前記制御部およびモデムに電源供給する電源切換回路とを有し、
前記制御部には、
前記主電源回路による電源供給が停止したことを検出する検出手段と、
前記主電源回路による電源供給が停止している間、前記ＣＰＵの動作速度を遅くし、前記送信予定時刻がきたときには前記ＣＰＵの動作速度を一時的に通常速度に戻す動作速度切換手段が設けられている。
【００１１】
また、本発明の請求項２のＰＯＳ端末装置は、請求項１のＰＯＳ端末装置において、
前記主電源回路による電源供給が停止している間、前記販売情報入力装置と販売情報出力装置を制御部のバスラインから切り離すバスライン切離手段を設けたことを特徴としている。
【００１２】
また、本発明の請求項３のＰＯＳ端末装置は、請求項１または請求項２のＰＯＳ端末装置において、
前記予備電源回路は、電話回線から電力を受けて前記制御部およびモデムへ電源供給することを特徴としている。
【００１３】
【発明の実施の形態】
以下、図面に基づいて本発明の実施形態を説明する。図１は、実施形態のＰＯＳ端末装置２０の構成を示す図である。
【００１４】
図１において、キーボード２１、バーコードリーダ２２は、商品販売時の販売情報（商品名、単価、個数等）を入力するための販売情報入力装置である。
【００１５】
また、表示器２３、プリンタ２４は、キーボード２１やバーコードリーダ２２によって入力された販売情報を表示出力、印字出力するための販売情報出力装置である。
【００１６】
モデム２５は、回線インタフェース２６を介して局線Ｌ１、Ｌ２に接続され、ホストコンピュータやカード会社等と電話回線を介して通信を行う。
【００１７】
回線インタフェース２６は、後述する制御部３０の制御により局線Ｌ１、Ｌ２に直流ループを形成する。
【００１８】
カードリーダ２７は、客のクレジットカードの情報を読み取るためのものである。
【００１９】
制御部３０は、ＣＰＵ３０ａ、ＣＰＵ３０ａのバスラインに接続されたＲＯＭ３０ｂ、ＲＡＭ３０ｃ、タイマ回路３０ｄ、シリアル通信回路３０ｅおよびバスライン切離回路３０ｆとによって構成されている。
【００２０】
ここで、ＲＡＭ３０ｃはＳＲＡＭからなり図示しない電池によってその記憶内容が保持されている。また、タイマ回路３０ｄも図示しない電池で動作している。また、バスライン切離回路３０ｆは、３ステート（ハイレベル、ローレベルおよびハイインピーダンス）のバッファによって構成されている。
【００２１】
キーボード２１、バーコードリーダ２２、表示器２３、プリンタ２４およびカードリーダ２７はバスライン切離回路３０ｆを介して制御部３０に接続され、モデム２５は制御部３０のシリアル通信回路３０ｅに接続されている。
【００２２】
制御部３０のＲＯＭ３０ｂには、少なくとも次の（ａ）〜（ｅ）のプログラムが予め記憶されており、ＣＰＵ３０ａはこれらの各プログラムにしたがってＰＯＳ端末装置２０を制御する。
【００２３】
（ａ）キーボード２１、バーコードリーダ２２から入力された販売情報を表示器２３、プリンタ２４に出力し、販売した商品の精算処理を行うためのプログラム
【００２４】
（ｂ）カードリーダ２７によって読み取られたクレジットカードの情報および販売情報を、モデム２５を介してカード会社に送信し認証を受けるプログラム
【００２５】
（ｃ）入力された販売情報をＲＡＭ３０ｃに記憶して集計し、その集計データを予め設定された送信予定時刻にモデム２５を介してホストコンピュータへ送信するプログラム
【００２６】
（ｄ）後述する主電源回路３５からの電源供給が停止したことを検出して、ＣＰＵ３０ａの動作速度（クロック周波数）を遅くし、この低速状態で送信予定時刻がきたときに動作速度を通常速度に戻すプログラム
【００２７】
（ｅ）主電源回路３５からの電源供給が停止している間、バスライン切離回路３０ｆのバッファをハイインピーダンス状態に設定するプログラム
【００２８】
主電源回路３５は、電源スイッチ３６を介して入力される商用電源を所定電圧Ｖａ、Ｖｂの直流電源に変換し、電圧Ｖａの電源をキーボード２１、バーコードリーダ２２、表示器２３、プリンタ２４、カードリーダ２７に供給し、電圧Ｖｂの電源を後述する電源切換回路４５を介してモデム２５および制御部３０に供給する。なお、電圧Ｖａと電圧Ｖｂは異なっていても同一であってもよい。
【００２９】
一方、予備電源回路４０は、交換機側から局線Ｌ１、Ｌ２に印加されている極性不定の直流を整流回路４０ａによって整流し、その整流出力をＤＣ／ＤＣコンバータ４０ｂによって所定電圧Ｖｃの直流電源に変換して、電源切換回路４５に出力する。ここで、電圧Ｖｃは主電源回路の電圧Ｖｂより僅かに低いとする。
【００３０】
電源切換回路４５は、カソード同士が接続された２つのダイオード４５ａ、４５ｂのうちの一方のダイオード４５ａのアノードで主電源回路３５の出力を受け、他方のダイオード４５ｂのアノードで予備電源回路４０の出力を受け、接続されたカソードからモデム２５および制御部３０へ電源を供給する。
【００３１】
前記したように、予備電源回路４０の出力電圧Ｖｃは主電源回路３５の出力電圧Ｖｂより低いため、電源スイッチ３６が閉じていて主電源回路３５から電圧Ｖｂが出力されているときには、ダイオード４５ｂが逆バイアスされてオフ状態となり、主電源回路３５の出力がモデム２５および制御部３０へ供給される。
【００３２】
また、ブレーカが落ちたり電源スイッチ３６が開いていて主電源回路３５からの電源供給が停止しているときには、ダイオード４５ａが逆バイアスされてオフ状態となり、予備電源回路４０の出力がモデム２５および制御部３０へ供給されることになる。
【００３３】
図２は、制御部３０が集計データを送信するときの手順を示すフローチャートである。以下、このフローチャートに基づいてこのＰＯＳ端末装置２０の動作を説明する。
【００３４】
制御部３０は、主電源回路３５からの電源供給がなされているか否かを監視し、主電源回路３５からの電源供給がなされている状態で送信予定時刻がきたときには、局線Ｌ１、Ｌ２に直流ループを形成し、モデム２５を介してホストコンピュータを発呼し、この発呼にホストコンピュータ側が応答するとデータを送信し、データの送信が終了するとループを開いて電源監視状態（Ｓ１）に戻る（Ｓ１〜Ｓ７）。
【００３５】
また、電源スイッチ３６がオフ操作されたりブレーカが落とされて主電源回路３５からの電源供給が停止すると、電源切換回路４５によってモデム２５および制御部３０に予備電源回路４０の出力が供給される。
【００３６】
このとき制御部３０は、バスライン切離回路３０ｆによってキーボード２１、バーコードリーダ２２、表示器２３、プリンタ２４、カードリーダ２７をバスラインから切り離して、電源供給を受けていないキーボード２１、バーコードリーダ２２、表示器２３、プリンタ２４およびカードリーダ２７によるバスラインのプルダウンを防止してから、ＣＰＵ３０ａの動作速度（クロック周波数）を遅く（例えば１／１００）する（Ｓ８、Ｓ９）。
【００３７】
このように、ＣＰＵ３０ａの動作速度を遅くすることにより、制御部３０の消費電力は著しく低下し、予備電源回路４０から出力される電流は、局線Ｌ１、Ｌ２のループが開いているときに端末側で使用することができる許容電流より少なく（数１０μＡ）て済む。
【００３８】
そして、予備電源回路４０からの電源供給を受けている状態で送信予定時刻が来る前に、電源スイッチ３６のオン操作等によって主電源回路３５からの電源供給が再開されると、キーボード２１、バーコードリーダ２２、表示器２３、プリンタ２４、カードリーダ２７がバスラインに接続され、ＣＰＵ３０ａの動作速度が元の速度に戻され、処理Ｓ２へ移行する（Ｓ１０〜Ｓ１３）。
【００３９】
また、予備電源回路４０からの電源供給を受けている状態で送信予定時刻がきた場合には、局線Ｌ１、Ｌ２に対するループを形成し、ＣＰＵ３０ａの動作速度を通常速度に一時的に戻して前記同様にホストコンピュータにデータを送信してから、ＣＰＵ３０ａの動作速度を再び下げてループを開き、処理Ｓ１へ戻る（Ｓ１４〜Ｓ２０）。
【００４０】
このとき、制御部３０の消費電力は一時的に増大するが、局線Ｌ１、Ｌ２のループが閉じているときに端末側で使用することができる許容電流は数１０ｍＡであり、制御部３０およびモデム２５に流れる電流はこの許容電流より小さいためデータの送信に支障はない。
【００４１】
以上のように、実施形態のＰＯＳ端末装置は、主電源回路３５からの電源供給が停止しているときには、制御部３０のＣＰＵの動作速度を遅くして低消費電力状態にするとともに回線からの電力を受けた予備電源回路４０で制御部３０を動作させ、この状態で送信予定時刻がきたときにＣＰＵの動作速度を通常速度に戻してデータをホストコンピュータに送信している。
【００４２】
このため、店員が送信予定時刻前にＰＯＳ端末装置の電源スイッチを切ったり、店のブレーカを落としても、送信予定時刻に確実にその日の販売情報をホストコンピュータに送ることができる。また停電中に送信予定時刻がきても問題なく販売情報をホストコンピュータに送ることができる。
【００４３】
なお、この実施形態の予備電源回路は、回線に印加されている直流を用いているので、メンテナンスが不要で半永久的に利用できる。
【００４４】
【他の実施の形態】
前記実施形態の予備電源回路は、半永久的な利用が可能な電話回線の電力を用いていたが、予備電源回路を一次電池にしたり、図３に示すＰＯＳ端末装置２０′のように、予備電源回路４０′を、充電可能な二次電池４１と、主電源回路３５（または商用電源）の出力で二次電池４１を充電する充電回路４２によって構成してもよい。ただし、何れの電池を用いた場合でも、定期的に電池交換をする必要がある。
【００４５】
また、予備電源回路の供給を受けて情報をホストコンピュータへ送信した場合に、その履歴をＲＡＭに記憶しておき、主電源回路からの電源供給が開始されたときに、その履歴を表示器あるいはプリンタに出力して、送信予定時刻に主電源回路の電源供給が停止していたことを報知するようにしてもよい。
【００４６】
【発明の効果】
以上説明したように、本発明のＰＯＳ端末装置は、主電源回路からの電源供給が停止しているときには、制御部のＣＰＵの動作速度を遅くして低消費電力状態にするとともに予備電源回路を制御部およびモデムに供給し、送信予定時刻がきたときにＣＰＵの動作速度を通常速度に戻してデータを送信している。
【００４７】
このため、店員が送信予定時刻前にＰＯＳ端末装置の電源スイッチを切ったり店のブレーカを落としても、送信予定時刻に確実に情報を送ることができる。
【図面の簡単な説明】
【図１】本発明の実施形態の構成を示すブロック図
【図２】実施形態のデータ送信処理を示すフローチャート
【図３】本発明の他の実施形態を示すブロック図
【符号の説明】
２０  ＰＯＳ端末装置
２１  キーボード
２２  バーコードリーダ
２３  表示器
２４  プリンタ
２５  モデム
３０  制御部
３０ａ  ＣＰＵ
３０ｂ  ＲＯＭ
３０ｃ  ＲＡＭ
３０ｄ  タイマ回路
３０ｅ  シリアル通信回路
３０ｆ  バスライン切離回路
３５  主電源回路
３６  電源スイッチ
４０  予備電源回路
４０ａ  整流回路
４０ｂ  ＤＣ／ＤＣコンバータ
４５  電源切換回路
【図１】
0004052738.tif 000002
【図２】
0004052738.tif 000003
【図３】
0004052738.tif 000004